(57)【要約】【課題】装着が容易で、装着後、果実類の挿入口を果実類の枝部を残してほぼ完全に閉じることができる果実類の保護カバーを提供することを目的としている。【解決手段】ニット地等の可撓性材料で形成され、少なくとも一端に果実挿入口を有する筒状本体部と、前記果実挿入口を所望の収縮状態に収縮可能な針金が、果実挿入口を所望の収縮状態に収縮可能に筒状本体部の果実挿入口に沿って果実挿入口収縮手段として添設されていることを特徴としている。【選択図】　　　図１
2004041096.tif 000002
【特許請求の範囲】
【請求項１】
可撓性材料で形成され、少なくとも一端に果実挿入口を有する筒状本体部と、前記果実挿入口を所望の収縮状態に収縮可能な果実挿入口収縮手段とを備えている果実類の保護カバー。
【請求項２】
筒状本体部がニット地で形成されている請求項１に記載の果実類の保護カバー。
【請求項３】
針金が、果実挿入口を所望の収縮状態に収縮可能に筒状本体部の果実挿入口に沿って果実挿入口収縮手段として添設されている請求項１または請求項２に記載の果実類の保護カバー。
【発明の詳細な説明】
【０００１】
【発明の属する技術分野】
本発明は、果実類の保護カバーに関する。
【０００２】
【従来の技術】
柑橘類、リンゴ等の果実およびトマト等の野菜などの木になる果実類を凍害（雪害、霜害を含む）、日焼け、害虫や害鳥による被害、風雨等による傷から守るために、実公昭５７−１９９７３号公報に開示するような袋状の保護カバーが使用されている。
すなわち、この保護カバーは、疎水性繊維が伸縮自在に編まれたニット地によって両端開口の筒状形成されていて、木になっている果実を枝に付いた状態で挿入口である一方の開口からニット地を押し広げつつ果実類を筒内に完全に挿入し、その弾性収縮力によって、果実を介して木にぶら下げられた状態に装着するようになっている。
【０００３】
ところで、上記の保護カバーの場合、カバーの弾性収縮力によってのみ、果実類に装着するようになっているので、挿入口が果実類より小さなものになっていて、挿入口を押し広げつつ果実に装着しなければならない。
したがって、装着を容易にするためには、保護カバーが抜け落ちない範囲で挿入口の径をできるだけ大きくする必要がある。
【０００４】
しかしながら、挿入口の径を大きくすると、装着したときに挿入口が開口した状態になるため、この挿入口を介して果実を上部から臨めるようになる。したがって、この挿入口から雪や霜が内部に入り込み、果実が落下するという事故を起こす恐れがある。
【０００５】
【発明が解決しようとする課題】
本発明は、上記事情に鑑みて、装着が容易で、装着後、果実類の挿入口を果実類の枝部を残してほぼ完全に閉じることができる果実類の保護カバーを提供することを目的としている。
【０００６】
【課題を解決するための手段】
上記目的を達成するために、本発明の請求項１に記載の果実類の保護カバー（以下、「請求項１の保護カバー」と記す）は、可撓性材料で形成され、少なくとも一端に果実挿入口を有する筒状本体部と、前記果実挿入口を所望の収縮状態に収縮可能な果実挿入口収縮手段とを備えていることを特徴としている。
【０００７】
本発明の請求項２に記載の果実類の保護カバー（以下、「請求項２の保護カバー」と記す）は、請求項１の保護カバーにおいて、筒状本体部がニット地で形成されていることを特徴としている。
【０００８】
本発明の請求項３に記載の果実類の保護カバー（以下、「請求項３の保護カバー」と記す）は、請求項１または請求項２の保護カバーにおいて、針金が、果実挿入口を所望の収縮状態に収縮可能に筒状本体部の果実挿入口に沿って果実挿入口収縮手段として添設されていることを特徴としている。
【０００９】
本発明において、保護カバーは、特に限定されないが、たとえば、八朔等の柑橘類を木に成った状態で越冬させる場合に好適に用いることができる。
カバー本体は、可撓性を備えていれば、その材質は特に限定されないが、請求項２の保護カバーのようにニット地等の伸縮性を備えた材質のものが好ましい。
【００１０】
請求項２の保護カバーにおいてニット地を形成する糸は、特に限定されないが、たとえば、ウーリーナイロン、ポリエステル等が挙げられ、疎水性を備えていることが好ましい。
【００１１】
本発明において、果実挿入口収縮手段しては、特に限定されず、たとえば、紐、面状ファスナ（商品名マジックファスナ）、針金等が挙げられ、挿入時に果実類が挿入しやすいように挿入口を開口状態に保形できることから請求項３の保護カバーのように針金を挿入口の周縁に沿って設けることが好ましい。
【００１２】
なお、請求項３の保護カバーのように、針金を挿入口に沿って設ける場合、挿入口の全周にわたって設けるようにしても構わないし、半周程度に設けるようにしても構わない。
また、針金としては、特に限定されず、たとえば、軟鉄製線材に樹脂被覆されているものが一般的に用いられるが、ナメクジ等の害虫を防ぐことができる銅線を用いるようにしても構わない。
【００１３】
【発明の実施の形態】
以下に、本発明を、その実施の形態をあらわす図面を参照しつつ詳しく説明する。
図１〜図４は、本発明にかかる果実類の保護カバーの１つの実施の形態をあらわしている。
【００１４】
図１〜図４に示すように、この保護カバー１は、カバー本体２と、テープ状の樹脂フィルムでサンドウィッチ状にされ被覆された針金３とから構成されている。
カバー本体２は、ウーリーナイロンが袋編みされたニット製の両端開口の筒状体体であって、その一方の開口が挿入口２１となっている一方の挿入口２１に沿ってその略半周分に、針金３が挿通される筒部２２を備えている。
【００１５】
そして、針金３は、この筒部２２に挿通され、その筒部２２の両端から延出した両端部を筒部２２側に折り返すことによってカバー本体２の挿入口２１に沿って装着されている。
【００１６】
この保護カバー１は、上記のようになっているので、図１に示すように、針金３によってカバー本体２の挿入口である一方の挿入口２１を開口状態に保形した状態で、木になった果実（この実施の形態では柑橘系）４を挿入口２１からカバー本体２内に挿入し、果実４が完全にカバー本体２内に挿入されると、図２〜図４に示すように、カバー本体２の筒部２２が設けられていない挿入口２１周縁部分を果実４を支えている小枝５を囲繞するように内側に折り込んだのち、針金３を変形させて針金３および筒部２２をその周囲に巻きつけることによって、挿入口２１が完全に封鎖された状態で装着されるようになっている。
【００１７】
以上のように、この保護カバー１は、挿入口２１が完全に封鎖された状態に装着可能であるので、雪が降ったりしてもカバー本体２内に雪が入らず、果実４が凍害で落下したりすることを確実に防ぐことができる。
また、カバー本体２がウーリーナイロン製のニット地でるので、果実４が保護カバー内で大きく育った場合にも、カバー本体２が果実４の大きさに沿うように伸長する。したがって、カバー本体２が破れたりすることがない。
【００１８】
また、針金３によって挿入口２１を開口状態に保形できるので、挿入口２１を手で押し広げながら果実４を挿入しなくて済み、果実４をカバー本体２内により挿入しやすくなる。
さらに、針金３が、カバー本体２の筒部２２に挿通するだけでカバー本体２に装着されているので、カバー本体２が汚れれば、針金３を筒部２２から抜き取ってカバー本体２のみを洗濯機等で洗濯することができる。すなわち、何回でもきれいな状態にして使用することができる。
【００１９】
本発明にかかる果実類の保護カバーは、上記の実施の形態に限定されない。たとえば、上記の実施の形態では、カバー本体が両端開口の筒状に形成されていたが、下端側は、縫製などによって閉じられていても構わない。すなわち、袋状になっていても構わない。
上記の実施の形態では、カバー本体の一方の開口周縁のみに針金が設けられていたが、両開口に沿って針金を設け、いずれの開口からでも果実をカバー本体内に挿入できるようにしても構わない。
【００２０】
【発明の効果】
本発明にかかる果実類の保護カバーは、以上のように構成されているので、装着が容易で、装着後、果実類の挿入口を果実類の枝部を残してほぼ完全に閉じることができる。したがって、果実類の凍害などを確実に防ぐことができる。また、日焼け防止、害虫、害鳥よけにも用いることができる。
【００２１】
特に、請求項２の保護カバーのようにすれば、果実類が保護カバー内で大きく育った場合にも、カバー本体が果実類の大きさに沿うように伸長する。したがって、カバー本体が破れたりすることがない。
また、請求項３の保護カバーのようにすれば、針金によって挿入口を開口状態に保形でき、果実類をカバー本体内により挿入しやすくなる。
【図面の簡単な説明】
【図１】本発明にかかる果実類の保護カバーの１つの実施の形態であって、その果実への装着前の状態をあらわす斜視図である。
【図２】図１の保護カバーの果実への装着状態をあらわす斜視図である。
【図３】図２のＸ方向矢視図である。
【図４】図３の要部拡大図である。
【符号の説明】
１　保護カバー
２　カバー本体
２１　挿入口
２２　筒部
３　針金
４　果実
５　小枝
【図１】
2004041096.tif 000003
【図２】
2004041096.tif 000004
【図３】
2004041096.tif 000005
【図４】
2004041096.tif 000006